(57)【特許請求の範囲】
【請求項１】
ガス管より供給されノズルから噴出される燃料ガスとその噴出エネルギーによって一次空気口から吸引される燃焼用一次空気とを混合して燃焼させるバーナを備えたガス器具において、
上記バーナは、上記ガス管から分岐した主ガス管に接続される主ノズルと、上記ガス管より分岐する副ガス管に接続される副ノズルとの二種類のノズルを備え、
ウォッベ指数の大きい燃料ガスが供給される場合には、上記主ノズルからのみ燃料ガスを噴出させ、ウォッベ指数の小さい燃料ガスが供給される場合には、上記主ノズルと上記副ノズルとの両方から燃料ガスを噴出させると共に、
上記一次空気口は、上記主ノズルの周囲に設けられ、上記副ノズルの周囲には形成しない、あるいは上記主ノズルの周囲の一次空気口より小さく形成したことを特徴とするガス器具。
【請求項２】
ガス管より供給されノズルから噴出される燃料ガスとその噴出エネルギーによって一次空気口から吸引される燃焼用一次空気とを混合して燃焼させるバーナを備えたガス器具において、
上記バーナは、上記ガス管から分岐した主ガス管に接続される主ノズルと、上記ガス管より分岐する副ガス管に接続される副ノズルとの二種類のノズルを備え、
ウォッベ指数の大きい燃料ガスが供給される場合には、上記主ノズルからのみ燃料ガスを噴出させ、ウォッベ指数の小さい燃料ガスが供給される場合には、上記主ノズルと上記副ノズルとの両方から燃料ガスを噴出させると共に、
上記主ノズルから噴出する燃料ガスと、上記副ノズルから噴出する燃料ガスとが衝突するように、上記主ノズル及び上記副ノズルの取り付け角度を調整したことを特徴とするガス器具。
【請求項３】
ガス管より供給されノズルから噴出される燃料ガスとその噴出エネルギーによって一次空気口から吸引される燃焼用一次空気とを混合して燃焼させるバーナを備えたガス器具において、
上記バーナは、上記ガス管から分岐した主ガス管に接続される主ノズルと、上記ガス管より分岐する副ガス管に接続される副ノズルとの二種類のノズルを備え、
ウォッベ指数の大きい燃料ガスが供給される場合には、上記主ノズルからのみ燃料ガスを噴出させ、ウォッベ指数の小さい燃料ガスが供給される場合には、上記主ノズルと上記副ノズルとの両方から燃料ガスを噴出させると共に、
上記副ノズルは、噴出された燃料ガスの噴出速度が減速される減速ノズルであることを特徴とするガス器具。
【請求項４】
上記ウォッベ指数の大きい燃料ガスはＬＰＧであり、上記ウォッベ指数の小さい燃料ガスはＤＭＥであることを特徴とする請求項１〜３のいずれか１項に記載のガス器具。
【発明の詳細な説明】
【０００１】
【発明の属する技術分野】
本発明はノズルから噴出される燃料ガスとその噴出エネルギーによって一次空気口から吸引される燃焼用一次空気とを混合して燃焼させるバーナを備えたガス器具に関する。
【０００２】
【従来の技術】
現在、家庭用のガス種としては、主に都市ガスとＬＰＧ（プロパンを主成分とした液化石油ガス）が用いられているが、ＬＰＧはやや高価である。そこで、最近、安価なガスであるＤＭＥ（ジメチルエーテル）をＬＰＧの代替燃料として使用することが検討されている。
この場合、ＤＭＥとＬＰＧとはウォッベ指数が大幅に異なるために、ＬＰＧ用のガス器具にそのままＤＭＥを供給すると、インプット（単位時間あたりの発熱量）が大幅に変化してガス器具の出力や燃焼などの性能が悪化してしまうので、ＤＭＥ用の新たなガス器具を開発する必要がある。
【０００３】
【発明が解決しようとする課題】
しかしながら、ＤＭＥの供給は現在のところ充分なものではないので、常にＤＭＥを使い続けることができる保障もなく、ＤＭＥの供給が滞った場合にはＬＰＧを使う等、ＬＰＧをＤＭＥに置き換えるにしても当面の間はＤＭＥとＬＰＧとの並行使用を考えなければならない。
このため、ＤＭＥ用のガス器具に置き換えても、今度はＬＰＧの使用時に、ガス器具の出力や燃焼などの性能が悪化してしまう。
【０００４】
また、一般的なガス種転換技術として、特開平１１−１９３９２９号公報に示されるように、一つのバーナに二つのノズルを設けて、ＬＰＧ供給時には第一ノズルを使用し、都市ガス（１３Ａ，１２Ａ）供給時には第二ノズルを使用するガス器具が知られている。このようなガス器具では、それぞれのノズルから噴出されるＬＰＧと都市ガスのインプットが等しくなるように口径を調整すると共に、どちらのノズルから燃料ガスを噴出しても、共通の一次空気口から同じだけの一次空気が吸引できるように各ノズルの取付位置を調整している。
しかしながら、共通の一次空気口から同じだけの空気量を吸引するためのノズル取付位置というのは非常に微妙なものであるために、このようなガス器具の実際の製造は困難であった。
本発明のガス器具は上記課題を解決し、複数種類の燃料ガスを並行使用しても、出力や燃焼などの性能を良好に維持することを目的とする。
【０００５】
【課題を解決するための手段】
上記課題を解決する本発明の請求項１記載のガス器具は、
ガス管より供給されノズルから噴出される燃料ガスとその噴出エネルギーによって一次空気口から吸引される燃焼用一次空気とを混合して燃焼させるバーナを備えたガス器具において、
上記バーナは、上記ガス管から分岐した主ガス管に接続される主ノズルと、上記ガス管より分岐する副ガス管に接続される副ノズルとの二種類のノズルを備え、
ウォッベ指数の大きい燃料ガスが供給される場合には、上記主ノズルからのみ燃料ガスを噴出させ、ウォッベ指数の小さい燃料ガスが供給される場合には、上記主ノズルと上記副ノズルとの両方から燃料ガスを噴出させると共に、
上記一次空気口は、上記主ノズルの周囲に設けられ、上記副ノズルの周囲には形成しない、あるいは上記主ノズルの周囲の一次空気口より小さく形成したことを要旨とする。
【０００６】
また、本発明の請求項２記載のガス器具は、
ガス管より供給されノズルから噴出される燃料ガスとその噴出エネルギーによって一次空気口から吸引される燃焼用一次空気とを混合して燃焼させるバーナを備えたガス器具において、
上記バーナは、上記ガス管から分岐した主ガス管に接続される主ノズルと、上記ガス管より分岐する副ガス管に接続される副ノズルとの二種類のノズルを備え、
ウォッベ指数の大きい燃料ガスが供給される場合には、上記主ノズルからのみ燃料ガスを噴出させ、ウォッベ指数の小さい燃料ガスが供給される場合には、上記主ノズルと上記副ノズルとの両方から燃料ガスを噴出させると共に、
上記主ノズルから噴出する燃料ガスと、上記副ノズルから噴出する燃料ガスとが衝突するように、上記主ノズル及び上記副ノズルの取り付け角度を調整したことを要旨とする。
【０００７】
また、本発明の請求項３記載のガス器具は、
ガス管より供給されノズルから噴出される燃料ガスとその噴出エネルギーによって一次空気口から吸引される燃焼用一次空気とを混合して燃焼させるバーナを備えたガス器具において、
上記バーナは、上記ガス管から分岐した主ガス管に接続される主ノズルと、上記ガス管より分岐する副ガス管に接続される副ノズルとの二種類のノズルを備え、
ウォッベ指数の大きい燃料ガスが供給される場合には、上記主ノズルからのみ燃料ガスを噴出させ、ウォッベ指数の小さい燃料ガスが供給される場合には、上記主ノズルと上記副ノズルとの両方から燃料ガスを噴出させると共に、
上記副ノズルは、噴出された燃料ガスの噴出速度が減速される減速ノズルであることを要旨とする。
【０００８】
また、本発明の請求項４記載のガス器具は、上記請求項１〜３のいずれか１項に記載のガス器具において、
上記ウォッベ指数の大きい燃料ガスはＬＰＧであり、上記ウォッベ指数の小さい燃料ガスはＤＭＥであることを要旨とする。
【０００９】
上記構成を有する本発明の請求項１記載のガス器具は、ウォッベ指数の大きい燃料ガスが供給される場合にはその燃料ガスが主ノズルからのみ噴出し、ウォッベ指数の小さい燃料ガスが供給される場合にはその燃料ガスが主ノズル及び副ノズルから噴出するように切替えて、バーナのインプット調整（インプットの差を小さくすること）を行い、出力性能を良好に維持する。
この時、燃焼用一次空気は、主ノズルの周囲の一次空気口から吸引される。そして、副ノズルとあわせて燃料ガスが供給される場合であっても、副ノズルの周囲には一次空気口が形成されていない又は小さい開口であるため、副ノズル側からの燃料ガスの噴出に伴って吸引される燃焼用一次空気の量は抑制される。この場合、副ノズルからの噴出にも伴って一次空気が吸引されると、燃焼用一次空気の量が増えて、燃料ガスのインプットに対する燃焼用一次空気の割合、すなわち空燃比がくずれて良好な燃焼が行えなくなるおそれがあるからである。尚、一般に気体燃料では、発熱量１０００ｋｃａｌにつき理論空気量は約１ｍ３とほぼ一定である。
このため、主ノズルからのみ燃料ガスを噴出した場合と、主ノズルと副ノズルの両方から噴出した場合とで吸引される一次空気の差を小さくして、空燃比を良好な燃焼が行われる範囲に維持することができる。
従って、異なるウォッベ指数の燃料ガスの切替使用が可能となる。
【００１０】
また、本発明の請求項２記載のガス器具は、ウォッベ指数の大きい燃料ガスが供給される場合にはその燃料ガスが主ノズルからのみ噴出し、ウォッベ指数の小さい燃料ガスが供給される場合にはその燃料ガスが主ノズル及び副ノズルから噴出するように切替えて、バーナのインプット調整（インプットの差を小さくすること）を行い、出力性能を良好に維持する。
そして、主ノズルから噴出する燃料ガスと副ノズルから噴出する燃料ガスとが衝突して、噴出エネルギーが減少するので、主ノズルと副ノズルの両方から燃料ガスを噴出した際に、吸引される燃焼用一次空気の量を抑制する。このため、主ノズルからのみ燃料ガスを噴出した場合と、主ノズルと副ノズルの両方から噴出した場合とで吸引される一次空気の差を小さくして、空燃比を良好な燃焼が行われる範囲に維持することができる。
従って、異なるウォッベ指数の燃料ガスの切替使用が可能となる。
【００１１】
また、本発明の請求項３記載のガス器具は、ウォッベ指数の大きい燃料ガスが供給される場合にはその燃料ガスが主ノズルからのみ噴出し、ウォッベ指数の小さい燃料ガスが供給される場合にはその燃料ガスが主ノズル及び副ノズルから噴出するように切替えて、バーナのインプット調整（インプットの差を小さくすること）を行い、出力性能を良好に維持する。
そして、副ノズルを減速ノズルとすることにより、副ノズルからの燃料ガスの噴出に伴って吸引される一次空気の量を抑える。さらに、副ノズルから噴出された燃料ガスの拡散が大きいので、主ノズルと副ノズルの両方から燃料ガスを噴出させた場合、主ノズルから噴出される燃料ガスによって吸引される燃焼用一次空気の吸引通路が阻害される。このため、主ノズルからのみ燃料ガスを噴出した場合と、主ノズルと副ノズルの両方から噴出した場合とで吸引される一次空気の差を小さくして、空燃比を良好な燃焼が行われる範囲に維持することができる。
従って、異なるウォッベ指数の燃料ガスの切替使用が可能となる。
【００１２】
また、本発明の請求項４記載のガス器具では、ＬＰＧとＤＭＥとの並行使用が可能となる。
【００１３】
【発明の実施の形態】
以上説明した本発明の構成・作用を一層明らかにするために、以下本発明のガス器具の好適な実施形態について説明する。
【００１４】
《第一実施形態》
図１は、本発明の第一実施形態としての一口タイプのテーブルこんろの概略構成図であり、図２は、このテーブルこんろのこんろバーナとノズルとの断面説明図である。
テーブルこんろ１の器具本体２内には、こんろバーナ３が備えられる。こんろバーナ３は、図２に示すように、中空のバーナ本体４と、このバーナ本体４に載置することにより外周縁に多数の炎口を形成するバーナヘッド５とを備える。バーナ本体４には、燃料ガスと燃焼用一次空気とを混合させるための混合管６が形成され、混合管６の基端には、ダンパキャップ７が被せられる。そして、ダンパキャップ７には、燃料ガスを噴出する主ノズル８と副ノズル９とが設けられ、図３に示すように、主ノズル８の周りには主ノズル８からの燃料ガスの噴出に伴い燃焼用一次空気を吸引するための一次空気口１０が設けられるのに対して、副ノズル９の周りには一次空気口は設けられない。尚、図３は、ダンパキャップ７の外観図であり、一次空気口１０にはハッチングを施してある。
【００１５】
器具本体２のガス接続口１１からこんろバーナ３へのガス管１２には、上流から順に、図示しない操作ボタンの押し操作に機械的に連動してガス流路を開閉する主開閉弁１３、供給される燃料ガスの最高ガス圧を制限して、その下流側が一定のガス圧となるように調節するガスガバナ１４が設けられる。
そして、ガス管１２はガスガバナ１４よりも下流側で、主ノズル８へ接続する主ガス管１５と、副ノズル９へ接続する副ガス管１６とに分岐する。副ガス管１６にはガス流路を開閉する副開閉弁１７が設けられ、器具上面に設けられた切替レバー１８の操作に機械的に連動してガス流路を開閉する。
ウォッベ指数が大きい燃料ガス（本実施形態では、ＬＰＧ）を使用する場合には、切替レバー１８を閉側に操作し、副開閉弁１７を閉弁して副ノズル９へのガス流路を閉じる。逆に、ウォッベ指数が小さい燃料ガス（本実施形態では、ＤＭＥ）を使用する場合には、切替レバー１８を開側に操作し、副開閉弁１７を開弁して副ノズル９へのガス流路を開ける。これによって、こんろバーナ３へのインプットがＬＰＧとＤＭＥのどちらを供給する場合においても等しくなるように調整することが可能となる。
【００１６】
ここで、主ノズル８からのみＬＰＧを噴出する場合と、主ノズル８と副ノズル９の両方からＤＭＥを噴出する場合とでこんろバーナ３へのインプットが等しくなるための主ノズル８と副ノズル９との口径の比の計算方法について述べる。
Ｉ＝Ｑ×Ｈ
Ｉ：インプット（ＭＪ／ｈ）、Ｑ：ガス流量（Ｎｍ３／ｈ）、Ｈ：ガスの発熱量（ＭＪ／Ｎｍ３）
であり、
【数１】
0004762459.tif 000002
Ｄ：ノズルの口径、Ｋ：流量係数、ｐ：ノズル背圧（ノズルへの供給ガス圧）、ｄ：ガスの比重
であるから
【数２】
0004762459.tif 000003
となる。尚、Ｈ／√ｄがウォッベ指数である。
ＬＰＧの比重をｄ１，発熱量をＨ１とし、ＤＭＥの比重をｄ２，発熱量をＨ２として、主ノズル８の口径をＤａ、副ノズル９の口径をＤｂとすると、ＬＰＧが供給された場合のこんろバーナ３へのインプットＩ１は、
【数３】
0004762459.tif 000004
となり、ＤＭＥが供給された場合のインプットＩ２は、
【数４】
0004762459.tif 000005
となる。尚、ガスガバナ１４でノズル背圧は規定されているのでｐはＬＰＧの場合とＤＭＥの場合とで等しい。また、流量係数ＫもＬＰＧとＤＭＥとで等しいと考える。
そして、ＬＰＧが供給された場合とＤＭＥが供給された場合とでこんろバーナ３へのインプットが等しくなればよいので、
Ｉ１＝Ｉ２
これを解くと
【数５】
0004762459.tif 000006
となる。
また、本実施形態では、ＬＰＧとして計算上、１００％プロパンを用いるとすると、Ｈ１、Ｈ２、ｄ１、ｄ２は、それぞれ、Ｈ１＝９１．０（ＭＪ／Ｎｍ３）、Ｈ２＝５９．３（ＭＪ／Ｎｍ３）、ｄ１＝１．５２、ｄ２＝１．５９であるからこれらを式（１）に代入すると、Ｄｂ＝０．７５５Ｄａが求まる。すなわち副ノズル９としては口径が主ノズル８の０．７５５倍のものを用いればよい。
また、器具本体２のガス接続口１１には、ＬＰＧあるいはＤＭＥが供給される元栓１９が接続される。
【００１７】
このように構成されたテーブルこんろ１では、テーブルこんろ１の図示しない操作ボタンを押し操作すると主開閉弁１３が開弁してこんろバーナ３に燃料ガスが供給される。そして、図示しない電極からの連続スパークによりこんろバーナ３に直接点火される。
【００１８】
燃料ガスとしてＬＰＧを使用する場合には、予め切替レバー１８を閉側に操作しておき、副ノズル９へのガス流路を閉じて主ノズル８からのみＬＰＧを噴出させる。一方、ＤＭＥを使用する場合には、予め切替レバー１８を開側に操作しておき、副ノズル９へのガス流路を開けて主ノズル８及び副ノズル９からＤＭＥを噴出させる。これによって、ウォッベ指数が異なるＬＰＧとＤＭＥの何れを供給しても、こんろバーナ３へのインプットは等しくなるので、ＬＰＧとＤＭＥとの何れを供給してもテーブルこんろ１の出力性能を等しくできる。
【００１９】
また、主ノズル８側のみに一次空気口１０が設けられているので、主ノズル８のみからＬＰＧを噴出した場合と主ノズル８及び副ノズル９からＤＭＥを噴出した場合との何れの場合においても、燃焼用一次空気は主ノズル８側からの燃料ガスの噴出のみによって吸引される。そして、ガスガバナ１４によって、ノズル背圧が一定になっており、ＬＰＧを供給した場合とＤＭＥを供給した場合とで主ノズル８から噴出されるガス流量が等しいため、バーナ本体４に吸引される燃焼用一次空気の量はほぼ等しくなる。従って、インプットに対する一次空気量もＬＰＧを供給した場合とＤＭＥを供給した場合とで一定とすることができるので、ＬＰＧもＤＭＥも極めて良好に燃焼させることができる。
しかも、主ノズル８と副ノズル９の両方から燃料ガスを噴出させているので、副ノズル９側に一次空気口を形成しないという簡単な構成で良好な一次空気量調整ができるものである。このため、従来のように、二つのノズル位置の調整によって、それぞれのノズルからガスを噴出させた際に共通の一次空気口から同じだけの空気量を吸引しようとする場合と比べて非常に空気量の調整が容易である。
尚、主ノズル８と副ノズル９の両方からガスを噴出する場合に、主ノズル８から噴出するガスと副ノズル９から噴出するガスとが干渉しあって、一次空気口１０から吸引される一次空気の量が減少すると考えられる場合には、主ノズル８からのみガスを噴出する場合と主ノズル８と副ノズル９の両方からガスを噴出する場合とで吸引される一次空気が等しくなるように副ノズル９の周りにも一次空気口を設ける。
【００２０】
以上説明したように、第一実施形態のテーブルこんろ１によれば、ＬＰＧを供給する場合には主ノズル８からのみ噴出させＤＭＥを供給する場合には主ノズル８と副ノズル９の両方から噴出させることにより、ＬＰＧとＤＭＥを供給する場合でこんろバーナ３へのインプットを等しくできる。さらに、主ノズル８側のみに一次空気口１０を設けたため、ＬＰＧとＤＭＥを供給した場合で吸引される燃焼用一次空気の量も容易に等しくできる。このため、サービスマン等による煩雑なガス種転換作業を行うことなしに、簡単な切替え操作だけでウォッベ指数の異なるＬＰＧとＤＭＥとの何れを使用してもこんろバーナ３を良好に使用することができる。
従って、通常は値段の安いＤＭＥを使用し、ＤＭＥの供給が滞った際にはＬＰＧを使用するといった、ＤＭＥとＬＰＧとの並行使用を使い勝手良く行うことができ経済的である。
【００２１】
《第二実施形態》
次に、第二実施形態の一口タイプのテーブルこんろについて図４及び図５を用いて説明する。尚、第一実施形態と異なる部分について説明し、重複する部分に関しては同一符号を付してその説明を省略する。第二実施形態は、吸引される燃焼用一次空気の量の調整方法が第一実施形態と異なる。
混合管６の基端に被せられるダンパキャップ２１には、燃料ガスを噴出する主ノズル２２と副ノズル２３とが設けられ、主ノズル２２と副ノズル２３との周りには各ノズルからの燃料ガスの噴出に伴い燃焼用一次空気を吸引するための主一次空気口２４と副一次空気口２５とが開口される。
主ノズル２２は、ガス噴出方向が水平方向となるように設けられる。これに対して、副ノズル２３は、ガス噴出方向が図４においては水平方向よりやや上方、つまり副ノズル２３から噴出した燃料ガスが主ノズル２２から噴出した燃料ガスに衝突するように、やや上向きの角度をつけて設けられる。
【００２２】
このように構成されたテーブルこんろでは、主ノズル２２と副ノズル２３との両方から燃料ガスを噴出させると、主ノズル２２から噴出した燃料ガスに副ノズル２３から噴出した燃料ガスが衝突する。このため、燃料ガスの噴出エネルギーの一部が熱エネルギーなどに変わり一次空気吸引量が減少する。従って、主ノズル２２のみから燃料ガスを噴出させる場合と、主ノズル２２と副ノズル２３との両方から燃料ガスを噴出させる場合とで一次空気口２４，２５から吸引される燃焼用一次空気の差を小さくできる。また、衝突角度を調節することにより、その差をゼロ、すなわち主ノズル２２からのみ噴出させた場合と、主ノズル２２と副ノズル２３の両方から噴出させた場合とで一次空気吸引量を等しく設定できる。
しかも、主ノズル２２と副ノズル２３の両方からガスを噴出させているので、主ノズル２２からのガスと副ノズル２３からのガスとを衝突させるという容易な構成で一次空気量を調整できるものである。
【００２３】
以上説明したように、第二実施形態のテーブルこんろによれば、ＬＰＧを供給した場合とＤＭＥを供給した場合とでこんろバーナ３５へのインプットを等しくできると共に、吸引される燃焼用一次空気の量も容易に等しくすることが可能となる。このため、サービスマン等による煩雑なガス種転換作業を行うことなしに、簡単な切替操作だけでウォッベ指数の異なるＬＰＧとＤＭＥとの何れを使用してもこんろバーナ３５を良好に使用することができる。
従って、通常は値段の安いＤＭＥを使用し、ＤＭＥの供給が滞った際にはＬＰＧを使用するといった、ＤＭＥとＬＰＧとの並行使用を使い勝手良く行うことができ経済的である。
【００２４】
《第三実施形態》
次に、第三実施形態の一口タイプのテーブルこんろについて図６及び図７を用いて説明する。尚、第一実施形態と異なる部分について説明し、重複する部分に関しては同一符号を付してその説明を省略する。第三実施形態は、吸引される燃焼用一次空気の量の調整方法が第一実施形態及び第二実施形態と異なる。
混合管６の基端に被せられるダンパキャップ２７には、燃料ガスを噴出する主ノズル２８と副ノズル２９とがその中心付近に設けられ、主ノズル２８と副ノズル２９との周りには各ノズルからの燃料ガスの噴出に伴い燃焼用一次空気を吸引するための一次空気口３０が開口される。
【００２５】
副ノズル２９としては、一次空気吸引量を抑制した減速ノズルが用いられる。ここで、減速ノズルの構造について説明する。減速ノズルは、図８に示すように、ノズル孔が二段階に構成され、一段階目のノズル孔３１に対して二段階目のノズル孔３２は拡大して形成される。このため、一段階目のノズル孔３１から噴出された燃料ガスは二段階目のノズル孔３２で減速され、噴出エネルギーが減少してノズルからの噴出による一次空気吸引量は減少する。また、燃料ガスは、拡散して噴出する。
【００２６】
このように構成されたテーブルこんろでは、主ノズル２８と副ノズル２９との両方から燃料ガスを噴出させた場合、副ノズル２９が減速ノズルであるために、副ノズル２９からの燃料ガスの噴出に伴って吸引される一次空気の量を抑制できる。さらに、減速ノズルである副ノズル２９から噴出された燃料ガスは大きく拡散しているので、図８に示すように、この拡散した燃料ガスによって、主ノズル２８からの燃料ガスの噴出に伴って吸引される一次空気の吸引通路が阻害され狭くなり、一次空気吸引量が減少する。
従って、主ノズル２８のみから燃料ガスを噴出した場合と、主ノズル２８と副ノズル２９の両方から噴出した場合とで吸引される燃焼用一次空気の差を小さくして、燃料ガスのインプットに対する燃焼用一次空気の割合を良好な燃焼が行われる範囲内に維持することが可能となる。しかも、主ノズルと副ノズルとの両方から燃料ガスを噴出させているので、副ノズルとして減速ノズルを用いるという簡単な構成で一次空気量を調整できる。
例えば、主ノズル２８からのみ燃料ガスを噴出させた場合に吸引される一次空気量をＬ（ｍ３／ｍｉｎ）とすると、両方のノズルから噴出させた場合に、主ノズル２８からの噴出に伴って吸引される一次空気量を０．８Ｌ（ｍ３／ｍｉｎ）、副ノズル２９からの噴出に伴って吸引される一次空気量を０．２Ｌ（ｍ３／ｍｉｎ）とすることにより、燃料ガスのインプットに対する燃焼用一次空気の割合を一定にすることができる。
【００２７】
以上本発明の実施形態について説明したが、本発明はこうした実施形態に何等限定されるものではなく、本発明の要旨を逸脱しない範囲において、種々なる態様で実施し得ることは勿論である。
例えば、第一実施形態では、一次空気口１０を混合管６の基端に被せられたダンパキャップ７に設けているがこれに限ったものではなく、図９に示すように、混合管３３自身に設けるようにしてもよい。この場合にも、一次空気口３４は、主ノズル８からのガスの噴出に伴って一次空気が吸引されるが、副ノズル９からのガスの噴出に伴っては一次空気が吸引されない位置に設けられる。
【００２８】
また、供給される燃料ガスとしてＬＰＧとＤＭＥとが用いられているが、これに限られるものではなく、例えば、ＬＰＧと都市ガス（１３Ａ及び１２Ａ）であっても構わない。この場合には、ウォッベ指数の大きいＬＰＧを主ノズルからのみ噴出させ、ウォッベ指数の小さい都市ガスを主ノズルと副ノズルの両方から噴出させる。
また、燃料ガスが噴出するノズルを切替えることを、副ガス管１６に設けられた副開閉弁１７を開閉することにより行っているが、これに限ったものではなく、主ガス管１５と副ガス管１６との接続部にガス管１２からのガス流路を主ガス管１５側のみか主ガス管１５と副ガス管１６の両方へのどちらかに切替える流路切替弁を設けるようにしてもかまわない。
【００２９】
また、ガス器具として、テーブルこんろを用いているが、これに限定されるものではなく、給湯器やファンヒーター等の家庭用，業務用ガス器具全般に適用される。
【００３０】
【発明の効果】
以上詳述したように、本発明の請求項１〜３に記載のガス器具によれば、異なる燃料ガスを供給してもガス器具の出力性能を良好に維持することができる。
さらに、主ノズルからのみ燃料ガスを噴出した場合と、主ノズルと副ノズルの両方から噴出した場合とで吸引される一次空気の差を小さくして、空燃比（燃料ガスのインプットに対する燃焼用一次空気の割合）を良好な燃焼が行われる範囲に維持することもできる。しかも、主ノズルと副ノズルの両方から燃料ガスを噴出させているので、この一次空気量の調整としては、副ノズル側に一次空気口を設けない、あるいは主ノズルからのガスと副ノズルからのガスとを衝突させる、あるいは副ノズルとして減速ノズルを用いるといった容易な構成で実施することができる。
従って、サービスマン等による煩雑なガス種転換作業をすることなしに、ウォッベ指数の異なる燃料ガスを容易に並行使用することができる。このため、燃料ガスの価格や市場への供給状態に応じて、使用するガス種を選択でき経済的である。
【００３１】
更に、本発明の請求項４記載のガス器具によれば、ＬＰＧとＤＭＥの並行使用が可能となるので、安いＤＭＥの市場への供給が充分な場合はＤＭＥを使用し、ＤＭＥの供給が滞った際にはＬＰＧを使用することができ、ＬＰＧからＤＭＥへの移行期において非常に有用である。
【図面の簡単な説明】
【図１】第一実施形態としてのテーブルこんろの概略構成図である。
【図２】第一実施形態のこんろバーナとノズルとの断面説明図である。
【図３】第一実施形態のダンパキャップの外観図である。
【図４】第二実施形態のこんろバーナとノズルとの断面説明図である。
【図５】第二実施形態のダンパキャップの外観図である。
【図６】第三実施形態のこんろバーナとノズルとの断面説明図である。
【図７】第三実施形態のダンパキャップの外観図である。
【図８】減速ノズルの断面図である。
【図９】別の実施形態のこんろバーナとノズルとの断面説明図である。
【符号の説明】
１…テーブルこんろ、３，３５…こんろバーナ、８，２２，２８…主ノズル、９，２３，２９…副ノズル、１０，３０…一次空気口、１２…ガス管、１５…主ガス管、１６…副ガス管、２４…主一次空気口、２５…副一次空気口。
【図１】
0004762459.tif 000007
【図２】
0004762459.tif 000008
【図３】
0004762459.tif 000009
【図４】
0004762459.tif 000010
【図５】
0004762459.tif 000011
【図６】
0004762459.tif 000012
【図７】
0004762459.tif 000013
【図８】
0004762459.tif 000014
【図９】
0004762459.tif 000015